(57)【特許請求の範囲】
【請求項１】
電気接点は：
中間部分と、この中間部分の一端から延び、この中間部分がリードフレームハウジング内に配置されるときに、リードフレームハウジングの前方端の前方に配置された結合端と、中間部分の対向する端から延びるマウント端とで構成され、結合端は、それらのそれぞれの長さに沿うカンチレバー式である２本のビームを有し、さらに、２本のビーム間に接続されたつなぎ材を有し、それらのそれぞれの長さに沿うビームの少なくとも一部は、つなぎ材の対向する側面に配置される電気的に誘電材料によって相互から分離されることを特徴とする、リードフレームハウジングによって支持されるように構成された電気接点。  
【請求項２】
つなぎ材は、電気伝導性で、かつ電気的に相互にそれぞれの対のビームを接続することを特徴とする請求項１記載の電気接点。
【請求項３】
つなぎ材は、電気接点のベース区域(base section)の前に位置することを特徴とする請求項１記載の電気接点。
【請求項４】
つなぎ材は、対間で配置されるか、カンチレバー式のビームによって画定された長手方向に細長いギャップの対の間に配置されることを特徴とする請求項１記載の電気接点。
【請求項５】
マウント端は、単一の位置で補完的な電気部品に電気的に接続するように構成されることを特徴とする請求項１記載の電気接点。
【請求項６】
結合端および対向するマウント端であって、結合端は、相互に関して離れて間隔を置かれる１対のカンチレバー式の接点ビームを画定するものと；
結合、およびマウント端の間に配置された中間部分であって、この中間部分は、接点本体を支持するように構成されたリードフレームハウジングの前方端に隣接して配置されるように構成された基端部を有し、接点本体の中間部分は、そこの全体に延在するギャップを画定し、このギャップは中間部分の基端部とカンチレバー式の接点ビームとの間に配置されたものと、を有してなり、接点本体は、さらに、中間部分の基端部で結合端と対向するマウント端との間に位置された傾斜部分を画定し、ギャップは、傾斜部分内に延び、カンチレバー式の接点ビームは、傾斜部分の基端部に関してカンチレバー式に支持される電気接点本体。
【請求項７】
マウント端は、単一の位置で補完的な電気部品に電気的に接続するように構成されることを特徴とする請求項６記載の電気接点。
【請求項８】
それぞれのビームの中間部分の間のギャップの第１の幅は、それぞれのビームの先端の間のギャップの第２の幅よりも大きいことを特徴とする請求項６記載の電気接点。
【請求項９】
複数の電気接点であって、その複数の電気接点のそれぞれは、中間部分を画定するものと、中間部分の基端部での結合端と、中間部分の対向する末端でのマウント端とを有し、各電気接点の結合端は、ギャップを画定するために相互から離れて間隔をおいて配置された１対のカンチレバー式のビームを画定するものであり;
さらに、複数の電気接点を支持するように構成されたリードフレームハウジングであって、複数の電気接点が、リードフレームハウジング内に支持されるときには、各々の複数の電気接点のそれぞれの基端部が、リードフレームハウジングの前方端の前方に配置され、かつ各々の電気接点の結合端は、さらにカンチレバー式のビーム間に接続されるつなぎ材を画定するものとを有するリードフレーム組立体。
【請求項１０】
カンチレバー式のビームおよびつなぎ材は、その全体に延在する第１のギャップおよび第２のギャップを画定することを特徴とする請求項９記載のリードフレーム組立体。
【請求項１１】
第１および第２のギャップは、つなぎ材の対向する側面においてカンチレバー式のビーム間で画定されることを特徴とする請求項１０記載のリードフレーム組立体。
【請求項１２】
カンチレバー式のビームは、さらに、カンチレバー式のビームのそれぞれの基端部で配置された１対の先端を画定することを特徴とする請求項１１記載のリードフレーム組立体。
【請求項１３】
電気接点は:
中間部分と、中間部分の第１の端から延びる結合端と、中間部分の第２の対向する端から延びるマウント端とを有し、結合端は、横断方向に沿ってカンチレバー式のビーム間に配置されたギャップを画定するように、長手方向に沿って細長く、かつ長手方向にほぼ直角である横断方向に沿って相互から離れて空間を置いた２本のカンチレバー式のビームを有し、それぞれのビームは、先端および中間部分を画定し、その先端は、接点領域を画定し、電気接点は、さらに、中間部分から延びる傾斜部を画定し、この傾斜部は、横方向における第１の傾斜に沿って中間部分に関して延び、傾斜部が、長手方向と、長手方向および横断方向の両方とにほぼ直角な横方向とに沿って、中間部分から延びるとともに、さらに中間部分は、横方向において一定の第２の傾斜に沿って、直接、傾斜部から先端まで延びており、一定の第２の傾斜は、第１の傾斜とは異なるとともに結合端部は、さらにそれぞれのビームの中間部分の間に接続されたつなぎ材を有し、このつなぎ材は、一定の第２の傾斜に沿って延びるリードフレームハウジングによって支持されるように構成された電気接点。
【請求項１４】
第１の傾斜は、第１の横方向にあり、かつ、一定の第２の傾斜は、第１の方向とは反対側にある第２の横方向にあることを特徴とする請求項１３記載の電気接点。
【請求項１５】
さらに、電気接点を支持するように構成されたリードフレームハウジングであって、電気接点が、リードフレームハウジング内に支持されるときに、電気接点の結合端は、リードフレームハウジングの前方端の前方に配置されるものを有することを特徴とする請求項１３記載の電気接点。
【請求項１６】
それぞれのビームの中間部分の間のスロットの第１の幅は、それぞれのビームの先端間のスロットの第２の幅よりも大きいことを特徴とする請求項１３記載の電気接点。
【請求項１７】
スロットは、傾斜部内に延びることを特徴とする請求項１６記載の電気接点。
【発明の詳細な説明】
【技術分野】
【０００１】
電気コネクタは、電気伝導性の接点、または電気接点を用いる電子デバイス間の信号接続を提供する。
【背景技術】
【０００２】
いくつかの応用において、電気コネクタは、１つまたはそれ以上の基板、例えば印刷回路基板間の接続可能なインタフェースを提供する。そのような電気コネクタは、第１の基板にマウントされたレセプタクルコネクタ、および第２の基板にマウントされた補完的なヘッダコネクタを有することができる。典型的には、レセプタクルコネクタにおける第１の複数の電気レセプタクル接点は、ヘッダコネクタにおける対応する複数の電気ヘッダ接点と結合するようになっている。例えば、電気レセプタクル接点は、電気レセプタクル接点と電気ヘッダ接点との間の電気接続を確立するように電気ヘッダ接点を受けることができる。
【０００３】
補完的な電気コネクタが、結合されるとき、例えば、ヘッダコネクタが、補完的なレセプタクルコネクタに結合されるときは、それぞれのコネクタの電気接点は、相互に関して力を及ぼすことができる。これらの力は、望ましいレベル以上でコネクタを結合することを必要とする挿入力の大きさを増加させることがある。例えば、プラグ型の電気接点を有するヘッダ電気コネクタが、カンチレバー式のビーム電気接点を有するレセプタクル電気コネクタに結合されるときに、垂直の力が、カンチレバー式のビーム接点において生成され、かつ、対応するプラグ接点に対して加えられることある。これらの垂直の力は、成功裡にコネクタを結合するのに必要である挿入力の望ましくなく高いレベルに帰着することがある。
【発明の概要】
【０００４】
一実施例にしたがって、電気接点は、中間部分を有し、結合端は、この中間部分の一端から延び、かつ、マウント端は、中間部分の対向する端から延びる。結合する端は、中間部分に関してそれらのそれぞれの長さに沿うカンチレバー式の２本のビームを有する。ビームは、それぞれの長さを有している。中間部分は、さらに、２本のビーム間で接続されたつなぎ材（tie bar）を有する。それらのそれぞれの長さに沿うビームの少なくとも一部分は、つなぎ材の対向側面に配置される電気的に誘電体材料によって相互から分離される。
【０００５】
代りの実施例にしたがって、電気接点本体は、結合端、および対向するマウント端を有し、そしてその結合端は、相互に関して離れて間隔を置く１対の先端（tip）を画定する。接点本体は、さらに結合およびマウント端の間に配置された中間部分を有している。この中間部分は、接点本体を担持するように構成された電気コネクタハウジングの前方端に隣接して配置されるように構成された基端部（proximal end）を有する。接点本体は、中間部分の基端部と先端との間に配置されるそれを介して延びるスロットを画定する。
【０００６】
先行する概要は、付属された図面とともに読まれるときに、応用の好ましい実施例の以下の詳述と同様に、より一層よく理解されよう。減少された垂直の力を有する電気コネクタを例証する目的のために、図面において好ましい実施例が示される。しかしながら、理解されるべきことは、その場の応用が、図面において例証された正確な配置およびまたは構成に限定されないことである。
【図面の簡単な説明】
【０００７】
【図１Ａ】図１Ａは、それぞれの印刷回路基板にそれぞれマウントすることができ、かつ相互と電気通信状態に（in electrical communication with）印刷回路基板を委ねるように結合することができる第１の電気コネクタと第２の電気コネクタとを有する電気コネクタ装置の斜視図である;
【図１Ｂ】図１Ｂは、相互に結合されるように整列されて、図１Ａにおいて例証された第１および第２の電気コネクタの斜視図である;
【図２Ａ】図２Ａは、図１Ａ、１Ｂにおいて例証された第１の電気コネクタの１対のリードフレーム組立体の斜視図である;
【図２Ｂ】図２Ｂは、図１Ａ、１Ｂにおいて例証された第１の電気コネクタの１対のリードフレーム組立体の斜視図である;
【図２Ｃ】図２Ｃは、図２Ａ、２Ｂにおいて例証された複数のリードフレーム組立体を有する第１の電気コネクタの斜視図である;
【図３Ａ】図３Ａは、実施例にしたがって構築された、図２Ａ−２Ｃにおいて例証されたリードフレーム組立体によって担持された電気接点の斜視図を例証する；
【図３Ｂ】図３Ｂは、実施例にしたがって構築された、図２Ａ−２Ｃにおいて例証されたリードフレーム組立体によって担持された電気接点の平面図を例証する；
【図３Ｃ】図３Ｃは、実施例にしたがって構築された、図２Ａ−２Ｃにおいて例証されたリードフレーム組立体によって担持された電気接点の側面図を例証する；
【図４Ａ】図４Ａは、実施例にしたがって構築された、図２Ａ−２Ｃにおいて例証されたリードフレーム組立体によって担持された電気接点の斜視図を例証する；
【図４Ｂ】図４Ｂは、実施例にしたがって構築された、図２Ａ−２Ｃにおいて例証されたリードフレーム組立体によって担持された電気接点の平面図を例証する；
【図４Ｃ】図４Ｃは、実施例にしたがって構築された、図２Ａ−２Ｃにおいて例証されたリードフレーム組立体によって担持された電気接点の側面図を例証する；
【図５Ａ】図５Ａは、さらに他の代りの実施例にしたがって例証された、図２Ａ−２Ｃにおいて例証されたリードフレーム組立体によって担持された電気接点の斜視図を例証する；
【図５Ｂ】図５Ｂは、さらに他の代りの実施例にしたがって例証された、図２Ａ−２Ｃにおいて例証されたリードフレーム組立体によって担持された電気接点の平面図を例証する；
【図５Ｃ】図５Ｃは、さらに他の代りの実施例にしたがって例証された、図２Ａ−２Ｃにおいて例証されたリードフレーム組立体によって担持された電気接点の側面図を例証する；
【発明を実施するための態様】
【０００８】
便宜上、図面において例証された様々な実施例における同一または等価な要素は、同一の参照数字と同一視されている。ある用語は、以下の記述において便宜上のみに使用されており、かつ限定されない。用語「左の」、「右の」、「前部の」「後部の」、「上部の」、「下部の」は、参照がされる図面における方向を示す。用語「前方へ」、「前方に」、「後方へ」、「内部の」、「内部に」、「外部の」、「外部に」、「外方に」、「上方の」、「上方へ」、「下方の」、そして「下方へ」は、それぞれ、その参照された目的物の幾何学的中心に向かって、またはそれから離れる方向について参照する。限定されないと意図した用語は、上記のリストされた用語、その派生語、および類似の意味の用語を含んでいる。
【０００９】
先ずはじめに、図１Ａ−１Ｂを参照して、一実施例にしたがって構築される電気コネクタ装置２０は、電気的に接続されるように構成された印刷回路基板（ＰＣＢ）として提供することができる第１の基板２４に電気的に接続されるように構成された第１の電気コネクタ２２のような、さらには、電気的にＰＣＢのような第２の基板２８に接続されるように構成された補完的な第２の電気コネクタ２６のような多数の部品を有する。補完的な第１および第２の電気コネクタ２２および２６は、相互に電気通信状態に第１および第２の基板２４および２８を委ねるように相互に結合するように構成される。例えば、第１の電気コネクタ２２は、第２の電気コネクタ２６に、あるいはそれとは逆に差し込まれることができる。電気コネクタ装置２０は、通常、米国特許７，３３１，８００号において記述されているように構築することができ、その開示は、参照によって、あたかもその全体においてここに記述されているかのようにこれにより組込まれる。
【００１０】
図１Ａ−１Ｂを継続して、第１の電気コネクタ２２は、誘電性、または電気的に絶縁性であるコネクタハウジング３０を有する。電気コネクタは、上端部３２および対向側の底端３４、前方端３６および対向側の後部端３８、または対向側面４０を画定する。対向する正面および後面３６および３８は、長手方向Ｌに沿って離れて間隔を置かれ、対向側面４０は、長手方向Ｌに関してほぼ垂直である横方向Ａに沿って離れて間隔を置かれ、さらに、頂端および底端３２および３４は、横方向Ａおよび長手方向Ｌに関してほぼ垂直である横断方向Ｔに沿って離れて間隔を置かれている。もし、他の方法でここに示されなかったならば、用語「横方向の」、「長手方向の」、および「横断方向の」は、様々な部品の直交する方向の成分を記述するために使用される。例証された実施例にしたがって、横断方向Ｔは、垂直に方向付けられ、かつ、電気コネクタ２２の方向付けは使用の間に変わることができることは認識されるべきであるが、長手方向および横方向ＬおよびＡは、水平方向に方向付けられる。
【００１１】
例証された実施例にしたがって、第１および第２の電気コネクタ２２および２６は、結合する方向Ｍに沿って相互に結合するように構成され、この方向Ｍは、長手方向Ｌにほぼ平行に延びることができる。したがって、第１の電気コネクタ２２が、結合インタフェース４２およびマウントインタフェースを画定することができることは、認識されるべきである。結合インタフェース４２は、前方端３６に隣接して配置され、かつ、第１および第２の電気コネクタ２２および２６の間の電気接続を確立するように第２の電気コネクタ２６と結合するように構成される。マウントインタフェース４４は、底端３４に隣接して配置され、かつ、第１の電気コネクタ２２と基板２４との間の電気接続を確立するように第１の基板２４上にマウントされるように構成される。第２の電気コネクタ２６は、さらに第１の電気コネクタ２２の結合インタフェース４２と結合するように構成された結合インタフェース６１、および、第２の基板２８を効果的に係合するように構成されたマウントインタフェース６３を画定することができる。結合インタフェース４２は、第１と第２の電気コネクタ２２と２６との間に電気接続を確立するように、第１の電気コネクタ２２と結合するように構成される。マウントインタフェース５２は、第２の電気コネクタ２６と基板２８との間に電気接続を確立するように、第２の基板２８にマウントされるように構成される。図示されるように、第１の電気コネクタ２２は、代りに垂直コネクタであることができ、それによって結合インタフェース４２およびマウントインタフェース４４は、相互にほぼ平行に方向付けられることは認識されるべきであるけれども、第１の電気コネクタ２２は、直角の電気コネクタであることができ、それによって第１の電気コネクタ２２の結合インタフェース４２およびマウントインタフェース４４は、相互にほぼ直角に方向付けられる。さらに、図示されるように、第２の電気コネクタ２６は、代りに直角のコネクタであることができ、それによって結合インタフェース６１およびマウントインタフェース６３は、相互にほぼ直角に方向付けされることは認識されるべきであるけれども、第２の電気コネクタ２６は、垂直の電気コネクタであることができ、それによって、結合インタフェース６１およびマウントインタフェース６３は、相互にほぼ平行に方向付けられる。
【００１２】
例証された実施例にしたがって、第２の電気コネクタ２６は、複数の電気接点３３を支持する誘電性のコネクタハウジング３１を有しており、これらの電気接点は、信号接点および接地接点を有することができる。電気接点３３は、コネクタハウジング３１に対するアタッチメントに対して先行してインサート成形され、コネクタハウジング３１内に差し込まれ、またはそうでなければコネクタハウジング３１によって支持することができる。電気接点３３は、結合インタフェース６１に沿って延びるそれぞれの結合端６５、およびマウントインタフェース６３に沿って延びるマウント端６７を画定する。それぞれの電気接点３３は、それぞれ第１および第２の対向する基板側部６９とこの基板側部６９との間に接続された第１および第２縁部７１を画定することができる。縁部７１は、ブロードサイド６９の長さより短い長さを画定し、したがって、電気接点３３が、それぞれの角形断面を画定する。マウント端６７は、プレス嵌め尾部、表面実装尾部、または半田ボールのような可溶要素であることができ、これらは、第２の基板２８であって、バックプレーン、ミッドプレーン、ドータカード、またはその同等品として構成されることができるような補完的電気部品に電気的に接続するように構成される。
【００１３】
少なくとも１つまたはそれ以上の対の隣接した電気接点３３は、差動信号（differential signal）対７３として構成されることができる。一実施例にしたがって、差動信号対７３は、エッジ結合され、すなわち、与えられた差動信号対７３の各電気接点３３の端７１は、共通の行（column）７５に沿って対面する。したがって、第２の電気コネクタ２６は、それぞれの行７５に沿って相互に配置された複数の差動信号対７３を有することができる。第２の電気コネクタ２６は、望まれるような、行７５に沿ってエッジ対エッジ配置されることができる任意の数の差動信号対７３をも有することができる。
【００１４】
電気接点３３の結合端６５が、補完的な第１の電気コネクタ２２の電気接点４６の結合端によって受けられるようにプラグとして構成されるので、第１および第２の電気コネクタ２２、２６が結合されるときに、第２の電気コネクタ２６は、プラグ、またはヘッダコネクタとして参照することができる。代りに、第２の電気コネクタ２６は、レセプタクルコネクタとして提供することができ、それによって、結合端６５は、補完的な電気コネクタのプラグを受けるように、すなわち、第２の電気コネクタ２６と結合されるように構成される。
【００１５】
例証された実施例にしたがって、第１の電気コネクタ２２は、誘電性のコネクタハウジング３０によって支持される複数のリードフレーム組立体５６を有することができる。リードフレーム組立体５６は、望まれるように、配置することができる。例えば、リードフレーム組立体５６は、列方向３９に沿って相互から離れて空間をおいて配置することができる。列方向３９は、横方向Ａと平行に方向付けることができる。
【００１６】
複数のリードフレーム組立体５６は、複数の第１のリードフレーム組立体５６ａ、および列方向３９に沿って代りに配置される複数の第２のリードフレーム組立体５６ｂを有することができる。したがって、それぞれの第１のリードフレーム組立体５６ａは、１対の第２のリードフレーム組立体５６ｂの間に、または第２のリードフレーム組立体５６ｂに隣接して配置するか、または隣接することができる。
【００１７】
同様に、それぞれの第２のリードフレーム組立体５６ｂは、１対の第１のリードフレーム組立体５６ａの間に配置するか、または、第１のリードフレーム組立体５６ａに隣接することができる。それぞれの複数の第１のリードフレーム組立体５６ａは、第１の電気接点配置を有することができ、さらに、それぞれの複数の第２のリードフレーム組立体５６ｂは、それぞれの複数の第１のリードフレーム組立体５６ａの第１の接点配置とは異なる第２の電気接点配置を有することができる。代りに、第１および第２のリードフレーム組立体５６ａおよび５６ｂは、電気接点の同一の配置を画定することができる。
【００１８】
今度は図２Ａ−２Ｃを参照して、それぞれのリードフレーム組立体５６は、１つ、またはそれ以上の誘電性、または電気的に絶縁性の材料を有するリードフレームハウジング５８を有することができる。それぞれのリードフレーム組立体５６のリードフレームハウジング５８は、列方向３９、または横方向Ａに沿って離れて間隔を置かれる横方向に対向する第１および第２の側表面、または外表面５５および５７を画定する。リードフレームハウジング５８は、さらに第３の、または頂部外部表面７７、および第４の、または横断方向Ｔに沿って相互から離れて間隔を置かれる底部外部表面７９を画定することができる。リードフレームハウジング５８は、さらに、第５の、または正面外部表面８１、および第６の、または長手方向Ｌに沿って相互から離れて間隔を置かれる後部外部表面８３を画定することができる。リードフレームハウジング５８は、望まれるような電気コネクタ２２内に配置することができる。例えば、図２Ｃに例証されるように、２つまたはそれ以上のリードフレームハウジング５８は、それらのそれぞれの第１の外部表面５５が、隣接するリードフレームハウジング５８の第２の外部表面５７に面するように配置することができる。
【００１９】
例証された実施例にしたがって、電気接点４６は、その結合端４８が、共通の横断方向の行５３に沿ってリードフレームハウジング５８の前方端に向かって長手方向に配置されるように、それぞれのリードフレーム組立体５６によって支持することができる。図２Ｃにおいて例証されるように、２つ、またはそれ以上のリードフレーム組立体５６は、列方向Ａにおいて延びる電気接点４６の列８５を形成するために相互に隣接して配置することができる。
【００２０】
一実施例にしたがって、リードフレーム組立体５６は、インサート成形されたリードフレーム組立体(ＩＭＬＡ)であることができ、それによって、それぞれの電気接点４６が、対応するリードフレームハウジング５８によって重ね成形することができる。代りに、電気接点４６は、それぞれのリードフレームハウジング５８内に差しこむか、または、そうでなければ、固定することができる。リードフレームジング５８は、コネクタハウジング３０内にそれぞれのリードフレームハウジング５８の位置を確保するようにコネクタハウジング３０のそれぞれの係合部材を係合するように構成されるタブ５９として例証された係合部材を有する。
【００２１】
電気接点４６は、複数の信号の接点Ｓ、および複数の接地接点Ｇを有することができる。空気またはプラスチックのような任意の適切な誘電材料も、隣接したリードフレーム組立体５６の電気信号接点４６から１つのリードフレーム組立体５６のそれを絶縁するために使用することができる。電気接点４６は、結合インタフェース４２に沿って延び、さらに、リードフレームハウジング５８から、横方向に前方に延びるそれぞれの結合端４８をそれぞれ画定し、かつ、第２の電気コネクタ２６の電気接点３３の補完的な結合端６５と結合するように構成される。電気接点４６は、さらに、マウントインタフェース４４に沿って延びる対向するマウント端５０を画定する。マウント端５０は、プレス嵌め尾部、表面実装尾部、または半田ボールのような可溶要素であることができ、これらは、第１の基板２４であって、バックプレーン、ミッドプレーン、ドータカード、またはその同等品として構成されることができるような補完的電気部品に電気的に接続するように構成される。代表的な実施例においては、それぞれの電気接点４６は、長手方向Ｌに沿う１つのマウント端５０を有する。
【００２２】
それぞれの電気接点４６は、それぞれ第１および第２の対向するブロードサイド間に接続された第１および第２端４７を画定することができる。端４７は、ブロードサイド４５の長さより短い長さを画定し、したがって、電気接点４６は、矩形断面を画定する。電気接点４６の結合端４８は、補完的な第２の電気コネクタ２６の電気接点の結合端を受けるレセプタクルとして構成されるので、第１の電気コネクタ２２が、代りに、プラグ、またはヘッダのコネクタとして構成することができ、それによって、結合端４８は、補完的な第２の電気コネクタ２６の電気接点によって受けられるプラグとして構成される(図１Ａにおいて例証されるように)ことは認識されるべきであるけれども、第１の電気コネクタ２２は、レセプタクルコネクタとして参照することができる(図１Ｂにおいて例証されるように)。
【００２３】
少なくとも１つ、またはそれ以上の対の隣接した電気接点４６は、差動信号対４９として構成することができる。一実施例にしたがって、差動信号対４９は、エッジ接続され、すなわち、与えられた差動信号対４９の各電気接点４６の端４７は、列方向３９にほぼ垂直である横断方向の共通の行５３に沿って相互に対面する。したがって、リードフレーム組立体５６は、長手方向３９に沿って間隔をおいて配置することができ、さらに、各リードフレーム組立体５６の電気接点４６は、それぞれの行５３に沿って間隔をおいて配置され、したがって、隣接したリードフレーム組立体５６のうちの電気接点４６が、間隔をおいたほぼ平行な行に配置される。したがって、第１の電気コネクタ２２は、与えられた行５３に沿って配置された複数の差動信号対４９を有することができる。第１の電気コネクタ２２は、その第１の電気コネクタ２２が、２つ、３つ、４つ、５つ、６つ、またはそれ以上の差動信号対のように、望まれるような与えられた行に沿って任意の数の差動信号対を有することができるけれども、それぞれの行５３に沿ってエッジ対エッジ配置された任意の数の信号対４９を有することができる。
【００２４】
上に記述されたように、電気接点４６は、複数の信号接点Ｓおよび複数の接地接点Ｇを有することができる。信号Ｓおよび接地Ｇ電気接点４６は、２つの異なるタイプのリードフレーム組立体を形成するためにリードフレーム組立体５６内に配置することができる:すなわち、交互に列方向３９に沿って配置することができる第１のリードフレーム組立体５６ａおよび第２のリードフレーム組立体５６ｂ。それぞれの第１のリードフレーム組立体５６ａは、結合インタフェース４２でそれぞれのリードフレームハウジング５８の底部に向かって、それぞれのリードフレームハウジング５８の頂部からの方向に沿って繰り返すＧ−Ｓ−Ｓパターンに電気接点４６の配置を有することができる。それぞれの第２のリードフレーム組立体５６ｂは、結合インタフェース４２でそれぞれのリードフレームハウジング５８の底部に向かってそれぞれのリードフレームハウジング５８の頂部からの方向に沿って繰り返すＳ−Ｓ−Ｇパターンに電気接点４６の配置を有することができる。したがって、第１および第２のリードフレーム組立体５６ａ−ｂは、異なるパターンの信号および接地接点を画定することができる。代りに、第１および第２のリードフレーム組立体５６ａ−ｂは、同一パターンの信号接点Ｓおよび接地接点Ｇを画定することができる。各ＩＭＬＡの信号接点Ｓの隣接する対は、差動信号対４９を画定することができ、または、信号接点Ｓは、代りに、非平衡終端する（single end）ことができる。さらに認識されるべきことは、結合インタフェース４２は、オープンピンフィールドを画定することができ、したがって、接地接点Ｇは、代りに、信号接点Ｓのデータ転送速度とは異なる(例えば、より小さい)それを有することができる信号接点として提供することができることである。したがって、ここに、接点Ｇへの参照が、例証の目的のためだけになされ、そして注目されるべきことは、接点Ｇは、上に記述されたように、接地接点として提供することができることであり、または、代りに、動作中の電気信号を送信するように構成された信号接点として提供することができることである。
【００２５】
今度は、図２Ａ−２Ｃおよび３Ａ−３Ｃを参照して、それぞれの電気接点４６は、接点本体７８を有することができ、この接点本体７８は、結合端４８、マウント端５０、および、本体７８の結合端４８にほぼ隣接して位置する基端部５１ａと本体７８のマウント端５０にほぼ隣接して位置する対向する末端５１ｂとの間に延びる中間部分５１を画定することができる。例証された電気接点４６の中間部分５１は曲がっているが、この接点本体７８は、この外形に限定されないし、さらに、認識されるべきことは、電気接点４６の中間部分５１は、代りに、望まれるような任意の他の外形を画定して構成されることである。接点４６のレセプタクル結合端４８は、第１および第２の電気コネクタ２２および２６が結合方向Ｍに沿って結合されるときに、電気接点３３のヘッダ結合端６５と接触するように構成することができる。より明確には、電気接点４６の結合端４８は、電気接点３３のブレード型、またはプラグ型結合端６５と係合するように構成することができる。
【００２６】
接点本体７８は、例えば中間部分５１の基端部５１ａで結合端４８に近接して、結合およびマウント端４８および５０の間に位置することができる傾斜８２を画定することができる。例証された実施例にしたがって、傾斜部８２は、リードフレームハウジング５８の前方端の前方に位置する。例えば、本体７８は、傾斜部８２の基端部８２ａが、例えば、ほぼリードフレームハウジング５８の前方端に隣接して、さらに、結合端４２の先端から後方に配置するようにリードフレームハウジング５８内に配置されるように構成することができる。すなわち、中間部分５１の基端部５１ａは、コネクタハウジング３０の前方端に隣接して配置されるように構成することができる。
【００２７】
例証された実施例にしたがって、全ての電気接点４６のような、少なくとも１つの結合端４８は、１対のカンチレバー式の接点ビーム８０を画定することができる。ビーム８０は、傾斜部８２の末端８２ｂに配置された基端部８０ａと対向する末端８０ｂとの間に長手方向に前方に延びることができ、したがって、ビーム８０は、基端と末端８０ａ、８０ｂとの間に画定されるように、それらそれぞれの長さに沿ってカンチレバー式であり、さらに傾斜部８２の末端８２ｂに関してカンチレバー式である。個々のビーム８０は、先端８４および中間部分９６を画定することができる。中間部分９６は、基端と末端９６ａ、９６ｂとの間に延び、さらに先端８４は、基端と末端８４ａ、８４ｂとの間に延びることができる。中間部分９６の基端部９６ａは、ビーム８０の近似端８０ａに隣接して位置することができる。中間部分９６の末端９６ｂは、先端８４の近似端８４ａに隣接して位置することができる。先端８４の末端８４ｂは、ビーム８０の末端８０ｂに隣接して位置することができる。先端８４は、第１および第２の電気コネクタ２２および２６が、相互に結合されるときに、電気接点３３の結合端６５と接触するように構成することができる。先端８４は、ビーム８０のそれぞれの部分に沿って接触面８６を画定するように構成することができる。例えば、例証された実施例の各先端８４は、行５３に向かって長手方向に前方に、かつ横方向に内方に延び、その後、さらに長手方向に前方に、かつ行５３から横方向に外方に離れて延びる曲線部分を画定し、そして、曲部のほぼ先端に配置され、先端８４の底部表面に沿って接触表面８６を画定する。
【００２８】
基端および末端８２ａ、８２ｂの間に画定されるように、傾斜部８２の長さの少なくとも一部は、そのそれぞれの行５３に関して本体７８の結合端の少なくとも一部を偏倚するように構成することができる。例えば、例証された電気接点４６の傾斜部８２は、通常、基端および末端８２ａ、８２ｂ間の「Ｓ字形の」曲線部を画定することができる。もちろん、傾斜部８２、およびまたは本体７８の任意の他の部分は、そのそれぞれの行５３に関して本体７８の結合端４８を偏倚するように異なって構成することができる。
【００２９】
例証された実施例にしたがって、傾斜部８２は、その傾斜部が先端８４に向かって長手方向Ｌに沿って中間部分５１から延びるとともに、横方向Ａにおける第１の傾斜９８に沿って中間部５１に関して延びることができ、そして、横方向Ａは、長手方向Ｌおよび横断方向Ｔの両方にほぼ垂直である。例えば、傾斜部８２は、中間部分５１の基端部５１ａと中間部分９６の基端部９６ａとの間に延びることができる。傾斜部８２は、外部表面１０４よりも低い中間部分５１の基端部５１ａに隣接して位置し、横方向Ａに沿って、中間部分９６の基端部９６ａに隣接して位置し、外部表面１０２に帰着することができる。さらに、傾斜部８２の全体は、第１の傾斜９８に沿って延びることができる。代りに、傾斜部８２のほぼすべては、第１の傾斜９８に沿って延びることができる。例えば、傾斜部８２は、ほぼ全てが第１の傾斜９８に沿って延びる「Ｓ字形」を有することができる。
【００３０】
中間部分９６は、中間部分が、先端８４に向かって傾斜部８２から離れて延びるとともに、横方向Ａにおいて傾斜部８２の末端８２ｂから先端８４の基端部８４ａに一定の第２の傾斜１００に沿って直接延びることができる。代表的な実施例において、一定の第２の傾斜１００は、一定の線形傾斜、または一定の非線形の傾斜のような任意のタイプの一定の傾斜を対象とすることができる。さらに、全ての中間部分９６は、一定の第２の傾斜１００に沿って延びることができる。代りに、ほぼ全ての中間部分９６は、一定の第２の傾斜１００に沿って延びることができる。さらに、第１の傾斜９８は、第１の横方向に延びることができ、さらに、一定の第２の傾斜１００は、第２の横方向に延びることができ、ここで第２の横方向は、第１の横方向とは異なっていることができる。
【００３１】
ビーム８０は、その間にギャップ８８を画定して、横断方向Ｔに沿って離れて間隔を置くことができる。横断方向Ｔに沿って例証されたビーム８０間に延びるギャップ８８は、ほぼ全体のビーム８０の長さに沿って延び、ビーム８０は、長手方向Ｌに沿って、すなわち、末端８０ｂを介して基端部８０ａから延びる。したがって、例証された本体７８が開放した末端８０ｂまたは先端８４、または、広げた末端８０ｂまたは先端８４を有する電気接点４６を画定するといわれる。
【００３２】
ギャップ８８の横断方向の幅は、ビーム８０の内部表面間で画定されるように、ビーム８０の長さの、１つ、またはそれ以上の部分に沿って変わることができる。例えば、例証されたビーム８０間のギャップ８８は、先端８４間に位置したギャップ８８の剰余の幅Ｗ１よりも大きい幅Ｗ２の一部を有する。ギャップ８８の広がった部分、すなわち、幅Ｗ２を有する部分は、結合端４８を介して横方向に延びるＵ字形のスロット９０を画定することができ、このスロット９０は、長手方向Ｌに沿って細長い。例証されたスロット９０は、ほぼ、傾斜部８２の末端８２ｂ、および、先端８４の後方に配置された末端に配置される基端部を有して画定され、したがて、スロット９０は、本体７８の中間部分５１およびビーム８０の先端８４の間に配置される。例証されたスロット９０の基端および末端は、丸くされている。電気接点４６は、例証された本体７８に限定されていないことは認識されるべきである。例えば、接点ビーム８０は、代りに、望まれるような任意の他のそれぞれの外形を有するギャップ８８およびまたはスロット９０を画定するように構成することができる。
【００３３】
動作において、第１の電気コネクタ２２が、第２の電気コネクタ２６に結合するとともに、第２の電気コネクタ２６の接点３３の結合端６５は、第１の電気コネクタ２２の電気接点４６の結合端４８と接触する。より明確には、結合端６５は、結合端４８と接触するとともに、電気接点４６の先端８４の下部表面は、結合端６５の先端縁に沿って乗る（ride）。先端８４は、長手方向に、結合端６５の先端縁に沿って乗るとともに、接点ビーム８０は、横方向に外方に、それぞれの行５３から離れてそらされ、その結果、結合端４８、例えば、傾斜部８２、およびまたはビーム８０において、強化するように偏倚に対抗する応力を引き起こす。先端８４は、さらに前方に前進するとともに、したがって、接点表面８６は、結合端６５のそれぞれの表面に沿って乗り、増強された応力によって生成された力Ｆは、結合端６５のそれぞれの表面にほぼ直角の、または垂直の方向に沿って、結合端６５のそれぞれの表面に接触表面８６を介して加えられる。
【００３４】
今度は図４Ａ−４Ｃを参照して、電気コネクタ装置２０は、電気接点４６'を有する、代りの実施例にしたがって構成される。電気接点４６'は、電気接点４６とほぼ同様に、しかし電気接点４６のスロット９０に関して長手方向に細長いそれを備えて構成され、したがって、スロット９０は、さらに後方に、リードフレームハウジング５８の前端に向かって延びる。より明確には、スロット９０の基端部は、例えば、傾斜部８２のほぼ基端部８２ａで、隣接して画定され、そして、中間部分５１の基端部５１ａに近接して、したがって、スロット９０は、傾斜部分８２を介して中に、そして少なくとも部分的に延びる。したがって、ビーム８０の基端部８０ａは、例えば、傾斜部８２のほぼ基端部８２ａで、隣接して画定され、したがって、ビーム８０は、傾斜部８２の基端部８２ａに関してカンチレバー式である。したがって、電気接点４６'のビーム８０は、電気接点４６の長さよりも長いそれぞれの長さを画定する。
【００３５】
電気接点４６'の動作を電気接点４６のそれと比較するときに、第１および第２電気コネクタ２２および２６が結合されるので、電気接点４６'の延在スロット９０は、結合する端部４８において増大する応力のレベルを低下するように作用することができ、さらに、したがって、対応する電気接点３３に対する電気接点４６によって及ぼされる垂直の力に関して対応する電気接点３３に対する電気接点４６'によって及ぼされる垂直の力を減少することができる。電気接点４６'は、例証された本体７８に制限されていないことが認識されるべきである。例えば、接点ビーム８０は、代りに望まれるような任意の他のそれぞれの形状を有するギャップ８８およびまたはスロット９０を画定するように構築することができる。
【００３６】
今度は、図５Ａ−５Ｃを参照して、電気コネクタ装置２０は、なお、電気接点４６"を有する他の代わりの実施例に従って構築される。電気接点４６"は、ほぼ電気接点４６'と類似して構築され、しかしながら、さらにビーム８０の中間部分９６の間に横方向に延びるつなぎ材（tie bar）９２を有し、結合する終端４８は、スロット９０を有するギャップ８８、およびスロット９４を有する第２のギャップを画定するように相互に関してビーム８０を連結する。スロット９０、９４は、つなぎ材９２の対向側の長手方向端に配置された長手方向に細長いスロットであることができ、したがって、このつなぎ材９２は、スロット９０、９４の間に配置される。例証されたつなぎ材９２は、２本のビーム８０の幅とほぼ等しく、２本のビーム８０間に接続される幅を有し、したがって、それぞれの長さに沿って、ビーム８０の少なくとも一部は、つなぎ材９２の反対側面に配置される電気的誘電材料によって相互から分離される。例えば、例証されたつなぎ材９２は、ビーム８０がそれらのそれぞれの中間部分９６に沿って相互から空間で分離されるように、ビーム８０間に接続される。つなぎ材９２は、結合する終端終了４８によって画定されることができ、したがって、そのつなぎ材９２は、ビーム８０と一体である。代りに、つなぎ材９２は、本体７８の材料と同一、または異なる材料で、別個に構成することができ、さらにビーム８０間に固定することができる。例証された実施例にしたがって、つなぎ材９２は、電気導体材料から構成することができ、したがって、つなぎ材９２は、相互にそれぞれの対のビーム８０を電気的に接続する。つなぎ材９２は、電気誘電材料のような任意の他の材料から構成することができることは、認識されるべきである。さらに、代表的な実施例によれば、つなぎ材９２は、第２の傾斜に沿って延びることができる。さらに、つなぎ材９２は、例えば、横方向Ａに沿ってつなぎ材９２の頂部表面が、横方向Ａに沿って電気接点４６のそれぞれのビーム８０の中間部分の頂部と同一平面であることができるように、中間部分９６と整列されることができる。同様に、横方向Ａに沿って、つなぎ材９２の底面（bottom surface）は、横方向Ａに沿って、電気接点４６のそれぞれのビーム８０の中間部分の底面と同一平面であることができる。
【００３７】
さらに、スロット９４の基端部は、電気接点４６'のスロット９０の基端部より中間部分５１の基端部５１ａにより近く画定することができ、したがって、スロット９４は、電気接点４６'のスロット９０より傾斜部分８２の基端部８２ａに関して、隣接してさらに延びる。換言すれば、電気接点４６"のスロット９４は、電気接点４６'のスロット９０よりリードフレームハウジング５８の前方端に向かってさらに後方に延びる。したがって、ビーム８０の基端部８０ａは、傾斜部分８２の基端部８２ａの、後方、または、基端であり、そして、ほぼ、中間部分５１の基端部５１ａにあり、したがって、ビーム８０は、中間部分５１の基端部に関して、カンチレバー方式である。例証されたつなぎ材９２は、第２、またはあるいは後方スロット９４より長手方向に長い第１、または前方スロット９０を画定して、傾斜部分８２の末端８２ｂに近接し、かつ向かって配置される。例証された実施例において、スロット９４は卵形（ovilar）であり、長手方向に細長く形作られている。電気接点４６"は、つなぎ材９２の例証された位置に限定されておらず、さらに電気接点４６"は、代りに、望まれるようなビーム８０のそれぞれの長さに沿って他の位置に位置されたつなぎ材９２で構築することができることは、が認識されるべきである。さらに認識されるべきことは、電気接点４６"は、単一のつなぎ材に限定されておらず、さらに、電気接点４６"は、代りに、複数のつなぎ材９２で構築することができ、望まれるように、同一の、または異なる大きさで、さらには、ビーム８０のそれぞれの長さに沿って任意の望まれる位置に配置されることである。
【００３８】
つなぎ材９２は、電気接点４６'の本体よりも相互に関してより大きな構造剛性を示すためにビーム８０のように、電気接点４６"のそれぞれの本体７８の少なくとも部分を引き起こすことができる。例えば、つなぎ材９２は、第１および第２の電気コネクタ２２および２６の結合の間に、ビーム８０の間のギャップ８８の幅Ｗ１、例えば先端８４の間の幅を維持することを支援することができる。
【００３９】
電気接点４６"の動作を、電気接点４６'のそれと比較するときに、電気接点４６"のスロット９０、９４は、ビーム８０の増加した長さと協力して、第１および第２の電気コネクタ２２および２６が結合されるので、本体７８内に強まる応力のレベルを低下させるために作用することができ、そしてしたがって、電気接点４６および４６'によって、対応する電気接点３３に対して及ぼされる垂直の力に関する対応する電気接点３３に対して電気接点４６"によって及ぼされる垂直の力を減少することができる。電気接点４６"が、例証された本体７８に限定されないことは、認識されるべきである。例えば、接点ビーム８０は、代りに、望まれるような任意の他のそれぞれの形状を有するギャップ８８、およびまたはスロット９０、９４を画定するように構築することができる。
【００４０】
第１の電気コネクタ２２が、上述された電気接点４６、４６'、または４６"の単一の１つだけに属する電気接点を有して、構築する必要がないことは認識されるべきである。例えば、第１の電気コネクタ２２は、代りに、望まれるように電気接点４６、４６'、およびまたは４６"の任意の組合せで構築することができる。
【００４１】
減少された垂直の力を備えた電気コネクタは、好ましい実施例、およびまたは好ましい方法に関してここに記述されてきたが、理解されるべきことは、ここに使用されてきた用語は、記述および例証の用語、より正確には限定の用語であることであり、さらに、その場の開示の範囲は、それらの特定に限定されることを意図せず、しかし、むしろ、減少された垂直の力を備えたここに記述された電気コネクタのあらゆる構造、方法、およびまたは使用まで及ぶように意味される。この明細書の教示の利益を有して、関連技術の熟練者は、ここに記述されるような減少された垂直の力を有する電気コネクタに対して多数の改造を達成することができ、さらに、変更が、例えば付属の請求項において詳述されるように、その場の開示の範囲および精神から逸脱することなく、なすことができる。
【図１Ａ】
0005781702.tif 000002
【図１Ｂ】
0005781702.tif 000003
【図２Ａ】
0005781702.tif 000004
【図２Ｂ】
0005781702.tif 000005
【図２Ｃ】
0005781702.tif 000006
【図３Ａ】
0005781702.tif 000007
【図３Ｂ】
0005781702.tif 000008
【図３Ｃ】
0005781702.tif 000009
【図４Ａ】
0005781702.tif 000010
【図４Ｂ】
0005781702.tif 000011
【図４Ｃ】
0005781702.tif 000012
【図５Ａ】
0005781702.tif 000013
【図５Ｂ】
0005781702.tif 000014
【図５Ｃ】
0005781702.tif 000015